(57)【要約】      （修正有）【課題】海苔網用の支柱から付着物を除去する際の振動の発生と付着物破片の飛散を抑え、付着物除去作業を小さな船上においても安全且つ容易に行える支柱付着物除去装置を提供する。【解決手段】付着物除去用の二つのスクリュー部１０、２０を平行に近接配置すると共に、二つのスクリュー部１０、２０を互いに異なる所定の回転方向に回転させ、スクリュー部の回転軸に対し支柱を平行として各スクリュー部１０、２０に接触させるようにすることから、除去された付着物の破片がスクリュー部間を支柱から離れる向きに進んで周囲に飛散せず、作業者の安全を確保できると共に、同様の大きさで平行に配置されて互いに逆向きに回転する二つのスクリュー部１０、２０が、回転により発生する振動を互いに打消し合うこととなり、スクリュー部の回転に起因する振動が周囲に与える悪影響を抑えられる。【選択図】図１
0003146890.tif 000002
【実用新案登録請求の範囲】
【請求項１】
海底に所定深さ挿入されて海中及び海上に起立した状態で海苔網を海面付近で支持する支柱が海底から引抜かれた後に、船上又は陸上で前記支柱から支柱表面の付着物を除去する支柱付着物除去装置において、
前記支柱の太さより狭い間隔で横に並べて中心軸を平行にして回転自在に配置される二つのスクリュー部と、
当該スクリュー部の軸方向にスクリュー部から所定距離離れた位置に配設され、スクリュー部の中心軸と直交する向きの軸を中心に回転自在とされる案内部と、
前記スクリュー部及び案内部を支持する支持枠と、
少なくとも前記スクリュー部を回転させる駆動部とを備え、
前記支柱を案内部の回転する外周部分に沿わせつつ、二つのスクリュー部の間の中間位置にスクリュー部軸方向と平行に支柱を位置させて、支柱の付着物除去範囲を二つのスクリュー部に接触させた状態で、二つのスクリュー部を、互いに異なる回転方向で、且つ各スクリュー部の対向部分同士がいずれも支柱から遠ざかる方へ移動していく回転方向に回転させ、各スクリュー部で付着物を除去することを
特徴とする支柱付着物除去装置。
【請求項２】
前記請求項１に記載の支柱付着物除去装置において、
前記案内部とは離れた側のスクリュー部の軸方向端部に隣接して配置され、上面側に支柱を沿わせる溝部がスクリュー軸方向と平行に配置形成されるガイド部を備え、
前記溝部が、当該溝部の延長線が二つのスクリュー部間の中間部分を通る配置とされてなることを
特徴とする支柱付着物除去装置。
【請求項３】
前記請求項１又は２に記載の支柱付着物除去装置において、
前記支持枠のうち、案内部の支持部分が、スクリュー部の支持部分に対し、突出する別部材とされ、且つ案内部の回転軸と平行な軸を中心として所定角度傾動自在に取付けられてなり、
除去装置の非使用状態で、前記案内部及び案内部支持部分をスクリュー部支持部分に対し傾動させて、案内部を前記スクリュー部の軸方向に所定距離離れた位置からスクリュー部支持部分の近傍に移動させることを
特徴とする支柱付着物除去装置。
【請求項４】
前記請求項１ないし３のいずれかに記載の支柱付着物除去装置において、
前記案内部が、前記付着物より硬質の複数の破砕用部材を回転軸を中心に略回転対称形に配置されて形成され、前記駆動部からの駆動力を伝達されて回転し、
前記スクリュー部の軸方向に所定距離離れた位置にある状態での案内部上側部分を覆うカバーが配設され、
前記支柱の付着物除去範囲を案内部に沿わせた状態で、案内部が付着物を除去することを
特徴とする支柱付着物除去装置。
【考案の詳細な説明】
【技術分野】
【０００１】
本考案は、海苔網を支える支柱に付着した付着物を支柱から除去する支柱付着物除去装置に関する。
【背景技術】
【０００２】
海苔養殖に用いられる海苔網は、海底から海上まで略垂直に起立状態として所定間隔で多数配設される支柱の間に張設され、海面付近に位置して海苔養殖に供される。この海苔網用の支柱は、海底に所定深さ挿入されて起立状態とされるが、支柱の海中に存在する部分は、貝やフジツボ等の海棲生物や植物が付着した状態となりやすい。
【０００３】
支柱は、海苔の養殖時期以外は海底から引抜かれて海から引上げられ、陸上等に保管されるが、この保管の際、付着物をそのまま支柱に残した場合、重量増等により取扱い性が悪化し、また支柱一本あたりの占有スペースも増加してしまうことから、保管の前に、支柱に付着した付着物を除去した上で保管する必要がある。こうした付着物の除去は、付着物を海にそのまま戻すのが環境保護の観点からも廃棄物処理のコストの点からも都合がよいため、支柱を海から回収する船上でなされることが多い。
【０００４】
こうした海苔網用の支柱から付着物を除去する際、大量の付着物を効率よく除去処理するために、機械式の除去装置が使用されていた。そうした一例として、特許第３８８４０６２号公報に記載されるものがある。
【特許文献１】特許第３８８４０６２号公報
【考案の開示】
【考案が解決しようとする課題】
【０００５】
従来のこうした付着物の除去装置は、前記特許文献に示されるようなものとなっており、支柱を海から回収する船に取付け可能とされ、海から引上げられた支柱に対し速やかに付着物の除去処理を行えるようにされており、除去用の回転部に付着物を接触させ、付着物をこすり落して支柱から除去できたが、全体が露出した状態で回転する回転部に作業者が支柱を押し当てるようにして除去を実行するため、除去された付着物の破片が周囲に飛散しやすく、破片が作業者に当って危険であると共に、船上等の周囲環境に破片が散らばるなど悪影響を及すという課題を有していた。
【０００６】
また、片持ち支持状態で回転する回転部の回転そのものに伴って発生する振動が、装置を設置した船体に伝わるが、海苔養殖用の比較的小型の船の場合には、この振動で船上での各種作業に支障を来す状態になることに加え、振動は支柱を通じて作業者にも直接伝わり、支柱を保持しながらの除去作業を行いにくくするという課題を有していた。
【０００７】
本考案は前記課題を解消するためになされたもので、付着物を除去する際の振動の発生と付着物破片の飛散を抑え、付着物除去作業を小さな船上においても安全且つ容易に行える支柱付着物除去装置を提供することを目的とする。
【課題を解決するための手段】
【０００８】
本考案に係る支柱付着物除去装置は、海底に所定深さ挿入されて海中及び海上に起立した状態で海苔網を海面付近で支持する支柱が海底から引抜かれた後に、船上又は陸上で前記支柱から支柱表面の付着物を除去する支柱付着物除去装置において、前記支柱の太さより狭い間隔で横に並べて中心軸を平行にして回転自在に配置される二つのスクリュー部と、当該スクリュー部の軸方向にスクリュー部から所定距離離れた位置に配設され、スクリュー部の中心軸と直交する向きの軸を中心に回転自在とされる案内部と、前記スクリュー部及び案内部を支持する支持枠と、少なくとも前記スクリュー部を回転させる駆動部とを備え、前記支柱を案内部の回転する外周部分に沿わせつつ、二つのスクリュー部の間の中間位置にスクリュー部軸方向と平行に支柱を位置させて、支柱の付着物除去範囲を二つのスクリュー部に接触させた状態で、二つのスクリュー部を、互いに異なる回転方向で、且つ各スクリュー部の対向部分同士がいずれも支柱から遠ざかる方へ移動していく回転方向に回転させ、各スクリュー部で付着物を除去するものである。
【０００９】
このように本考案によれば、付着物除去用の二つのスクリュー部を平行に近接配置すると共に、二つのスクリュー部を互いに異なる所定の回転方向に回転させ、スクリュー部の回転軸に対し支柱を平行として各スクリュー部に接触させるようにすることにより、除去された付着物の破片がスクリュー部間を支柱から離れる向きに進んで周囲に飛散せず、作業者の安全を確保できると共に、同様の大きさで平行に配置されて互いに逆向きに回転する二つのスクリュー部が、回転により発生する振動を互いに打消し合うこととなり、スクリュー部の回転に起因する振動が周囲に与える悪影響を抑えられる。また、スクリュー部と支柱との接触面積が広く確保されることで、スクリュー部と支柱との接触の衝撃や振動が緩和され、作業者による作業を行いやすくすることに加え、支柱に加わる力が一箇所に集中せず、過剰な力の集中による支柱の傷付きを防止できる。
【００１０】
また、本考案に係る支柱付着物除去装置は必要に応じて、前記案内部とは離れた側のスクリュー部の軸方向端部に隣接して配置され、上面側に支柱を沿わせる溝部がスクリュー軸方向と平行に配置形成されるガイド部を備え、前記溝部が、当該溝部の延長線が二つのスクリュー部間の中間部分を通る配置とされてなるものである。
【００１１】
このように本考案によれば、二つのスクリュー部の軸方向端部側に隣接させてガイド部を設け、付着物除去対象となる支柱を溝部に沿う状態でガイド部に載せて支柱をスクリュー部に接触させることにより、支柱を安定させた状態で二つのスクリュー部のちょうど中間に位置させられ、支柱表面の付着物を各スクリュー部に均等に当接させて付着物除去作業を効率よく進められると共に、作業者が作業中に支柱を無理なく保持でき、作業性を向上させて作業者の労力負担を軽減できる。
【００１２】
また、本考案に係る支柱付着物除去装置は必要に応じて、前記支持枠のうち、案内部の支持部分が、スクリュー部の支持部分に対し、突出する別部材とされ、且つ案内部の回転軸と平行な軸を中心として所定角度傾動自在に取付けられてなり、除去装置の非使用状態で、前記案内部及び案内部支持部分をスクリュー部支持部分に対し傾動させて、案内部を前記スクリュー部の軸方向に所定距離離れた位置からスクリュー部支持部分の近傍に移動させるものである。
【００１３】
このように本考案によれば、支持枠として案内部支持部分とスクリュー部支持部分とを備え、スクリュー部支持部分に対し案内部支持部分を傾動自在とし、装置の非使用状態で案内部をスクリュー部から離れて支柱に接触する位置から傾動させてスクリュー部支持部分に近付けた状態とすることにより、装置を使用しない場合のスクリュー部軸方向における装置寸法を小さくでき、装置周囲での作業等の支障にならずに済むこととなり、特に装置が船上に設置される場合には、突出する案内部及び案内部支持部分と船外構造物との接触等の危険性をより小さくすることができる。
【００１４】
また、本考案に係る支柱付着物除去装置は必要に応じて、前記案内部が、前記付着物より硬質の複数の破砕用部材を回転軸を中心に略回転対称形に配置されて形成され、前記駆動部からの駆動力を伝達されて回転し、前記スクリュー部の軸方向に所定距離離れた位置にある状態での案内部上側部分を覆うカバーが配設され、前記支柱の付着物除去範囲を案内部に沿わせた状態で、案内部が付着物を除去するものである。
【００１５】
このように本考案によれば、案内部を複数の破砕用部材の組み合わせで形成し、案内部を二つのスクリュー部と共に駆動部で回転させて、案内部に支柱の付着物除去範囲部分が接すると案内部も付着物を除去することにより、スクリュー部と合わせて付着物を支柱から能率よく除去できると共に、案内部で除去された付着物の破片は周囲への飛散をカバーに阻まれることとなり、作業者の安全も確保できる。
【考案を実施するための最良の形態】
【００１６】
以下、本考案の一実施形態を図１ないし図６に基づいて説明する。図１は本実施形態に係る支柱付着物除去装置の斜視図、図２は本実施形態に係る支柱付着物除去装置における除去動作状態の側面図、図３は図２のＡ矢視図、図４は本実施形態に係る支柱付着物除去装置におけるスクリュー部での除去状態説明図、図５は本実施形態に係る支柱付着物除去装置における非使用状態の側面図、図６は図５のＢ矢視図である。
【００１７】
前記各図において本実施形態に係る支柱付着物除去装置１は、支柱７０の太さより狭い間隔で横に並べて中心軸を平行にして回転自在に配置される二つのスクリュー部１０、２０と、これらスクリュー部１０、２０を回転自在に支持する支持枠３０と、前記スクリュー部１０、２０から所定距離離れた位置に配設され、スクリュー部１０、２０の回転軸と直交する向きの軸を中心に回転する案内部４０と、スクリュー部１０、２０及び案内部３０を回転させる駆動部５０とを備える構成である。
【００１８】
前記スクリュー部１０、２０は、支持枠３０に二つを平行に並べた状態で回転自在に軸支される円筒状のスクリュー軸１１、２１と、このスクリュー軸１１、２１外周面に取り付けられる付着物８０除去用の螺旋状のスクリュー刃１２、２２とを備える構成である。二つのスクリュー刃１２、２２の螺旋の向きはちょうど逆向きとされ、スクリュー部１０、２０の回転の向きも互いに逆向きとされる。このスクリュー部１０、２０の回転方向は、スクリュー部１０、２０の対向部分同士がいずれも上から下に向うような回転方向、言い換えると、スクリュー部１０、２０上側に支柱７０を接触させた状態で各スクリュー部１０、２０の対向部分同士がいずれも支柱７０から遠ざかる方へ移動していく回転方向に設定される（図４参照）。
【００１９】
前記支持枠３０は、略箱状に形成されて二つのスクリュー部１０、２０を回動可能に支持する前記スクリュー部支持部分としての中心枠３１と、この中心枠３１におけるスクリュー部の軸方向端部側に隣接して配設されるガイド部３２と、中心枠３１とは別体の腕状部材とされて中心枠３１のスクリュー部軸方向端部側でない側面に中心枠３１から突出した状態で配設され、先端には案内部４０を回転自在に取付けられる前記案内部支持部分としてのアーム部３３と、中心枠３１の下側に中心枠３１の傾斜角を調整可能として蝶着配設される台座部３４と、ガイド部３２の下方に固定配設され、下端部を地面、床面や甲板（デッキ）面に付けて起立状態となって装置を支える脚部３７とを備える構成である。
【００２０】
前記中心枠３１は、二つのスクリュー部１０、２０を取囲む状態で配設され、上面とスクリュー部の軸方向端部側の側面の一部をそれぞれ開放状態とされてなり、側面の開放部分は除去された付着物の破片の排出口３１ａとされる構成である。また、ガイド部３２は、中心枠３１に対し前記案内部４０とは反対側に位置し、略Ｖ字状の溝部３２ａを、その溝連続方向がスクリュー部軸方向と平行となり、且つ溝の延長線が二つのスクリュー部間のちょうど中間位置を通る配置として設けられる構成である。ガイド部３２の下側には、駆動部５０からの駆動力を各スクリュー部１０、２０に伝達する公知の歯車機構（図示を省略）が収容配置され、その側方には、駆動部５０からの駆動力を駆動部５０から受取り、案内部４０側に伝達するプーリ５１、５３及び無端ベルト５２、５４がそれぞれ配設される。
【００２１】
前記アーム部３３は、案内部４０を取り付けた先端部とは反対側の基端部を中心枠３１の側面にスクリュー部１０、２０の中心軸と直交する軸を中心として所定角度傾動可能に軸支配設される構成である。アーム部３３の先端部には、案内部４０が傾動中心軸と平行な回転軸を中心として回転自在に配設されると共に、アーム部３３の装置使用状態における位置で案内部４０の上側を覆う位置関係となるカバー３５が設けられる。このアーム部３３の側方には、駆動部５０からの駆動力を案内部４０に伝達するプーリ５５、５７及び無端ベルト５６が配設される。
【００２２】
前記台座部３４は、下向きの幅調整可能な溝部３４ａを有して船縁９０等に係合可能とされてなり、上部の一端部を中心枠３１のスクリュー部軸方向端部側の下縁と蝶着されて中心枠３１との相対位置関係を調整可能とされる構成である。台座部３４と中心枠３１間に配設される略ネジ状の角度調整部３６の、台座部３４と中心枠３１との間に介在する長さを調節することで中心枠３１下縁と台座部３４上面とのなす角を調整して中心枠３１の傾きを変えられる仕組みである。
【００２３】
前記脚部３７は、台座部３４による設置とは別に、下端部を甲板面等に付けて装置を支える部材であり、設置箇所に対応して長さを調整可能とされる構成であり、台座部３４のみで支持する場合よりも装置全体を安定した状態とすることとなる。
【００２４】
前記案内部４０は、前記破砕用部材として、付着物より硬質材、例えば金属製の棒を中間で湾曲させたものを、二つの円板間に回転軸を中心として回転対称形となるように複数配置して全体で略鼓状をなす状態に一体化した構成であり、アーム部３３先端に回転自在に軸支配設され、付着物除去を実行する装置使用時には、スクリュー部１０、２０及びガイド部３２上に載せられた状態にある支柱７０の上側に当接して、支柱７０のスクリュー部１０、２０からの浮き上がりを抑えると共に、案内部４０自体も回転することで支柱７０の案内部４０に沿う部位における付着物８０を除去するものである。案内部４０の回転方向は、支柱７０との接触部分がスクリュー部１０、２０から遠ざかる向きに移動するような回転方向に設定するのが望ましい。
【００２５】
この案内部４０に対応して、前記アーム部３３の中心枠３１に対し傾動する角度範囲は、装置使用状態で案内部４０をスクリュー部１０、２０の軸方向に所定距離離れて支柱７０上側に当接する箇所に位置させる一方、装置の非使用状態で、案内部４０を中心枠３１の近傍でスクリュー部軸方向についてスクリュー部１０、２０より後方に位置させる角度範囲として設定される。
【００２６】
このアーム部３３を中心枠３１に対し傾動自在とし、案内部４０をスクリュー部１０、２０から離れて支柱７０上側に接触可能な位置から、装置の非使用状態では中心枠３１近傍まで傾動させられ、装置を使用しない場合にアーム部３３及び案内部４０のスクリュー部軸方向への突出を抑えることで、台座部３４を船縁に係合して装置を船上に設置する場合に、案内部４０及びアーム部３３と船外構造物との接触等の危険性を小さくすることができる。
【００２７】
前記駆動部５０は、スクリュー部１０、２０や案内部４０を動作させるのに必要な駆動力を発生させるものであり、公知の電動機や内燃機関を装置の使用箇所に応じて適宜選択して使用することとなる。駆動力の伝達は装置との間に無端ベルト５２を巻掛けて行う他、使用状況に応じてチェーンや歯車による動力伝達機構とすることもできる。
【００２８】
次に、本実施形態に係る支柱付着物除去装置の付着物除去動作について説明する。前提として、本装置が中心枠３１の排出口３１ａ側を船外に向けて台座部３４を介して船縁９０に設置され、付着物の付着した支柱７０が船上に引上げられて付着物８０の除去を待つ状態にあるものとする。まず、アーム部３３と案内部４０が中心枠３１からスクリュー部軸方向へ突出し、同時に船外に突き出た状態としておく。そして、駆動部５０を起動させ、スクリュー部１０、２０及び案内部４０を回転状態とする。この後、船上側、すなわちガイド部３２のある側からスクリュー部１０、２０と案内部４０との間のスペースに支柱７０を差入れ、さらに支柱７０の傾きを変えて案内部４０下側とスクリュー部１０、２０の中間部上側に支柱７０の付着物８０が付着した領域を沿わせ、且つガイド部３２にも支柱７０が接触している状態とする。
【００２９】
この状態で、支柱７０は二つのスクリュー部１０、２０の間の中間位置でスクリュー部軸方向と平行となり、表面に付着した付着物８０を二つのスクリュー部１０、２０に接触させる。また、支柱７０は船上から離れた先端側で案内部４０の回転する外周部分とも接触しており、支柱７０に付着している付着物８０は、回転するスクリュー部１０、２０及び案内部４０との接触により削り取られ、支柱表面から除去されて下方に落下する。スクリュー部１０、２０で除去された付着物は、二つのスクリュー部１０、２０の間を通って中心枠３１の側面の排出口３１ａから船外の海へ向うこととなる。一方、案内部４０で除去された付着物は、そのまま、又はカバー３５に当って進行方向を変えて、海へ落下する。こうして発生した付着物８０の破片はいずれも船外の海に向うこととなり、船上に飛散せず、作業者に悪影響が及ぶことはない。
【００３０】
また、二つのスクリュー部１０、２０が、同様の大きさで平行に配置されて互いに逆向きに回転し、回転により発生する振動を互いに打消し合うことで、スクリュー部１０、２０の回転に起因する船の振動は極めて小さく、船上での各種作業への振動による影響は少ない。加えて、スクリュー部１０、２０と支柱７０が平行をなして互いの接触面積が広く確保されることで、スクリュー部１０、２０と支柱７０との接触の衝撃や振動も緩和され、支柱７０を保持する作業者への直接的な影響は小さく、作業者による付着物除去作業を行いやすくしている上、スクリュー部１０、２０から支柱７０に加わる力は一箇所に集中しにくく、過剰な力の集中による支柱７０の傷付きを防止できる。
【００３１】
支柱表面から付着物８０が全て除去され、一本の支柱に対する除去作業が終了した後は、その支柱７０を案内部４０とスクリュー部１０、２０の間から抜き取り、他の除去作業対象の支柱と入替えて新たに作業を実行する。作業対象の全ての支柱に対する除去作業が終了した後は、駆動部５０を停止し、アーム部３３をスクリュー部１０、２０寄りに傾動させて案内部４０を中心枠３１近傍に位置させ、案内部４０とアーム部３３が船上から船外の海側に突出しない状態とする。
【００３２】
このように、本実施形態に係る支柱付着物除去装置においては、付着物除去用の二つのスクリュー部１０、２０を平行に近接配置すると共に、二つのスクリュー部１０、２０を互いに異なる所定の回転方向に回転させ、スクリュー部１０、２０の回転軸に対し支柱７０を平行として各スクリュー部１０、２０に接触させるようにすることから、除去された付着物８０の破片がスクリュー部間を支柱７０から離れる向きに進んで周囲に飛散せず、作業者の安全を確保できる。また、二つのスクリュー部１０、２０の軸方向端部側に隣接させてガイド部３２を設け、付着物除去対象となる支柱７０を溝部３２ａに沿う状態でガイド部３２に載せて支柱７０をスクリュー部１０、２０に接触させることから、支柱７０を安定させた状態で二つのスクリュー部１０、２０のちょうど中間に位置させられ、支柱表面の付着物８０を各スクリュー部１０、２０に均等に当接させて付着物除去作業を効率よく進められると共に、作業者が作業中に支柱７０を無理なく保持でき、作業性を向上させて作業者の労力負担を軽減できる。
【００３３】
なお、前記実施形態に係る支柱付着物除去装置においては、台座部３４を船縁９０に取付けて船上設置し、海から回収した支柱７０からの付着物除去作業をそのまま船上で行える構成としているが、これに限らず、装置を陸上に設置し、装置設置箇所まで移送した支柱に対し付着物除去作業を実行するようにしてもかまわない。その場合、台座部を地面や床面にそのまま載置せず、所定の高さの安定した支持台に台座部を据付けて固定し、支柱を接触させるスクリュー部の位置を除去作業しやすい高さとするのが望ましい。
【００３４】
また、前記実施形態に係る支柱付着物除去装置においては、案内部４０についても駆動部５０からの駆動力で回転動作させ、案内部４０に接した支柱７０の付着物８０を除去可能とする構成としているが、これに限らず、案内部の回転駆動を行わないようにして案内部での付着物除去を実行せず、案内部を支柱上側を押える案内機能のみに限定する構成とすることもできる。
【図面の簡単な説明】
【００３５】
【図１】本考案の一実施形態に係る支柱付着物除去装置の斜視図である。
【図２】本考案の一実施形態に係る支柱付着物除去装置における除去動作状態の側面図である。
【図３】図２のＡ矢視図である。
【図４】本考案の一実施形態に係る支柱付着物除去装置におけるスクリュー部での除去状態説明図である。
【図５】本考案の一実施形態に係る支柱付着物除去装置における非使用状態の側面図である。
【図６】図５のＢ矢視図である。
【符号の説明】
【００３６】
１            支柱付着物除去装置
１０、２０    スクリュー部
１１、２１    スクリュー軸
１２、２２    スクリュー刃
３０          支持枠
３１          中心枠
３１ａ        排出口
３２          ガイド部
３２ａ        溝部
３３          アーム部
３４          台座部
３４ａ        溝部
３５          カバー
３６          角度調整部
３７          脚部
４０          案内部
５０          駆動部
５１、５３    プーリ
５２、５４    無端ベルト
５５、５７    プーリ
５６          無端ベルト
７０          支柱
８０          付着物
９０          船縁
【図１】
0003146890.tif 000003
【図２】
0003146890.tif 000004
【図３】
0003146890.tif 000005
【図４】
0003146890.tif 000006
【図５】
0003146890.tif 000007
【図６】
0003146890.tif 000008